(57)【要約】【課題】スライド動作の時、携帯電話で外部に露出されるＰＣＢホールに対して、携帯電話のスライド作動によって連動閉鎖するドア部が設けられた携帯電話のスライドモジュールを提供すること。【解決手段】本発明による携帯電話のスライドモジュールは、携帯電話の下体に固定される固定プレートと、携帯電話の上体に固定されて、一側にＦＰＣＢ（Ｆｌｅｘｉｂｌｅ  Ｐｒｉｎｔｅｄ  Ｃｉｒｃｕｉｔ  Ｂｏａｒｄ）が貫通するＰＣＢホールが形成され、上記固定プレートに摺動可能に結合されて摺動によって携帯電話の開放状態または閉鎖状態を形成する移動プレートと、上記固定プレート及び移動プレートと連結されて、上記移動プレートが摺動するによって弾性力が発生して上記移動プレートが携帯電話の上記開放状態または閉鎖状態の位置になるように弾性力を提供する弾性手段と、上記移動プレートで摺動可能に結合されて、上記移動プレートの摺動によって連動しながら摺動して、上記ＰＣＢホールの一部を開放または閉鎖するドア部と、が含まれる。【選択図】図１
2010279015.tif 000002
【特許請求の範囲】
【請求項１】
携帯電話の下体に固定される固定プレートと、
携帯電話の上体に固定されながら、上記固定プレートの前面方向に配置されて、一側にフレキシブルプリント基板が貫通するＰＣＢホールが形成され、上記固定プレートに摺動可能に結合されて、摺動によって携帯電話の下体の前面が露出される携帯電話の開放状態または携帯電話の上体及び下体が完全に重なり合う携帯電話の閉鎖状態を形成する移動プレートと、
上記固定プレート及び移動プレートに連結され、上記移動プレートが摺動することによって弾性力が発生して、上記移動プレートが携帯電話の上記開放状態または閉鎖状態の位置になるように弾性力を提供する弾性手段と、
上記移動プレートで摺動可能に結合されて、上記移動プレートの摺動によって連動しながら摺動して、上記ＰＣＢホールの一部を開放または閉鎖するドア部とを含む、携帯電話のスライドモジュール。
【請求項２】
上記移動プレートは、一側に空間部が形成されたプレートフレームと、両側部に上記プレートフレームとの間に、上下方向でありながら互いに平行なガイド溝が設けられるように上記空間部に配置されるガイドプレートと、上記ガイドプレートの前面に配置されて上記空間部を覆い、上記ガイドプレート及び上記プレートフレームにそれぞれ固定されるカバープレートとで構成され、
上記ＰＣＢホールは、上記ガイドプレートの下側に形成される第１ＰＣＢホールと、上記第１ＰＣＢホールに対応して上記カバープレートの下側に形成される第２ＰＣＢホールとで形成され、
上記固定プレートの両側端には、上記ガイド溝に位置しながら、上記ガイドプレートの両側端が摺動可能に結合されるガイド部が形成され、
上記ドア部は、上記カバープレートの前面で摺動可能に結合されている、請求項１に記載の携帯電話のスライドモジュール。
【請求項３】
上記カバープレートの前面には、上記ドア部が上記カバープレートから離脱されないようにするドアカバーが固定されている、請求項２に記載の携帯電話のスライドモジュール。
【請求項４】
上記ドア部が上記移動プレートの摺動によって連動して摺動するように、一端が上記ドア部の一側に結合され、他端が上記ガイド部の一側に結合され、両端を連結する長手方向に弾力的に長さが可変することができ、上記移動プレートの摺動によって、上記ドア部に摺動方向に引っ張り力を伝送するドアスプリングを含む、請求項２に記載の携帯電話のスライドモジュール。
【請求項５】
上記ドア部が上記移動プレートの摺動によって連動して摺動するように、上記カバープレートの両側部には、上記ガイド部が上記カバープレートの前面方向に上記ガイド部の移動方向に沿って露出されるようにする開口部が形成され、
上記ドア部の両側端には左右方向に延長される羽片が形成され、
上記羽片は、端部が上記開口部の位置に位置しながら、上記開口部に沿って移動する上記ガイド部に係止されて、上記ガイド部とともに移動することになり、
上記羽片が上記ガイド部に係止されて移動する方向の反対方向に上記ドア部を繰り上げるように、一端が上記ドア部に結合され、他端が上記カバープレートに結合される引張スプリングを含む、請求項２に記載の携帯電話のスライドモジュール。
【請求項６】
上記ガイド部に係止される上記羽片の端部にはプラスチック素材からなるダンパが形成されている、請求項５に記載の携帯電話のスライドモジュール。
【請求項７】
上記ドア部の摺動がガイドされながら上記カバープレートから離脱されないように、上記ドア部にはスロットが形成され、上記スロットを貫通するピン部材が上記カバープレートに固定され、上記ピン部材の端部には上記スロットの幅より大きい幅を有するワッシャーが固定されている、請求項５に記載の携帯電話のスライドモジュール。
【請求項８】
上記移動プレートは、プレートフレームと上記プレートフレームの一側で一体に形成されるガイドプレートとで構成され、上記ガイドプレートの両側部で上記プレートフレームとの間に、上下方向でありながら互いに平行なガイド溝が設けられ、上記ガイドプレートの下側に上記ＰＣＢホールが形成され、
上記固定プレートの両側端には、上記ガイド溝に位置しながら上記ガイドプレートの両側端が摺動可能に結合されるガイド部が形成され、
上記ドア部は、上記ガイドプレートの前面で摺動可能に結合されている、請求項１に記載の携帯電話のスライドモジュール。
【請求項９】
上記ガイドプレートの前面には、上記ドア部が上記カバープレートから離脱されないようにするドアカバーが固定されている、請求項８に記載の携帯電話のスライドモジュール。
【請求項１０】
上記ドア部が上記移動プレートの摺動によって連動して摺動するように、一端が上記ドア部の一側に結合され、他端が上記ガイド部の一側に結合され、両端を連結する長手方向に弾力的に長さか可変されることができ、上記移動プレートの摺動によって上記ドア部に摺動方向に引っ張り力を伝送するドアスプリングを含む、請求項８に記載の携帯電話のスライドモジュール。
【発明の詳細な説明】
【技術分野】
【０００１】
本発明は携帯電話のスライドヒンジモジュールに関し、さらに詳しくは、携帯電話のスライド動作の時、外部に露出されるＦＰＣＢホール部分を携帯電話のスライド作動によって連動閉鎖するドア部が設けられた携帯電話のスライドモジュールに関する。
【背景技術】
【０００２】
一般のスライド式携帯電話は、液晶表示装置が装着された上体がキーパッドが装着された下体に対して相対的に摺動可能に結合されている。
【０００３】
携帯電話には上体が下体に対して相対的に摺動することができるようにスライドモジュールが設置される。具体的に、スライドモジュールは、上体に固定される移動プレートと下体に固定される固定プレート、また、移動プレートと固定プレートとの相互相対的な摺動に弾性力を提供する弾性手段が含まれる。そして、移動プレートが固定プレートに対して相対的に摺動することによって上体が下体に対して摺動する。
【０００４】
一方、上体に含まれる液晶表示装置は、下体に装着されたメインボードとフレキシブルプリント基板（Ｆｌｅｘｉｂｌｅ  Ｐｒｉｎｔｅｄ  Ｃｉｒｃｕｉｔ  Ｂｏａｒｄ、ＦＰＣＢ、以下「ＦＰＣＢ」と言う）によって電気的に接続される。したがって、通常、移動プレートには該ＦＰＣＢが上体の内部を貫通するようにＰＣＢホールが形成される。
【０００５】
しかし、該ＰＣＢホールは、携帯電話の外部に露出される問題がある。具体的に説明すれば、使用者が携帯電話をスライド作動してオープンしたとき、上体と下体とが互いに重なる部分以外の領域となる移動プレートの底面が携帯電話の外部に露出される。この時、露出された移動プレートの上にＰＣＢホールが形成されている場合、そのＰＣＢホールの部分が外部に露出される。
【０００６】
この場合、携帯電話の見掛けを損なうとともに、ＰＣＢホールを通じて上体の内部に異物が流入されたり、このＰＣＢホールを貫通するＦＰＣＢが外部に露出されて損傷される虞があるなど諸問題が発生する。
【０００７】
勿論、ＰＣＢホールが上体と下体とが互いに重なる部分の移動プレートの上に形成されるようにすることによって、外部に露出されないようにすることもできるが、ＦＰＣＢの流動空間の確保やその他に要求される設計上の必要によって、この領域を逸脱する位置や大きさに形成するしかない不可避な場合には、上述した問題を解消することができる補完策が必要である。
【発明の概要】
【発明が解決しようとする課題】
【０００８】
上述した問題点を解決するためになされた本発明は、スライド動作の時、携帯電話で外部に露出されるＰＣＢホールに対して、携帯電話のスライド作動によって連動閉鎖するドア部が設けられた携帯電話のスライドモジュールを提供することを目的とする。
【課題を解決するための手段】
【０００９】
上述した課題を解決するために、本発明に係る携帯電話のスライドモジュールは、携帯電話の下体に固定される固定プレートと、携帯電話の上体に固定されながら、上記固定プレートの前面方向に配置されて、一側にＦＰＣＢ（Ｆｌｅｘｉｂｌｅ  Ｐｒｉｎｔｅｄ  Ｃｉｒｃｕｉｔ  Ｂｏａｒｄ）が貫通するＰＣＢホールが形成され、上記固定プレートに摺動可能に結合されて、摺動によって携帯電話の下体の前面が露出される携帯電話の開放状態または携帯電話の上体及び下体が完全に重なり合う携帯電話の閉鎖状態を形成する移動プレートと、上記固定プレート及び移動プレートに連結されて、上記移動プレートの摺動によって弾性力が発生して、上記移動プレートが携帯電話の上記開放状態または閉鎖状態の位置に位置するように弾性力を提供する弾性手段と、上記移動プレートで摺動可能に結合されて、上記移動プレートの摺動によって連動しながら摺動して、上記ＰＣＢホールの一部を開放または閉鎖するドア部とが含まれる。
【００１０】
また、上記移動プレートは、一側に空間部が形成されたプレートフレームと、両側部に上記プレートフレームとの間に、上下方向でありながら互いに平行なガイド溝が設けられるように、上記空間部に配置されるガイドプレートと、上記ガイドプレートの前面に配置されて上記空間部を覆い、上記ガイドプレート及び上記プレートフレームにそれぞれ固定されるカバープレートと、で構成され、上記ＰＣＢホールは、上記ガイドプレートの下側に形成される第１ＰＣＢホールと、上記第１ＰＣＢホールに対応して上記カバープレートの下側に形成される第２ＰＣＢホールとで形成され、上記固定プレートの両側端には、上記ガイド溝に位置しながら、上記ガイドプレートの両側端が摺動可能に結合されるガイド部が形成され、上記ドア部は上記カバープレートの前面で摺動可能に結合することができる。
【００１１】
また、上記カバープレートの前面には、上記ドア部が上記カバープレートから離脱されないようにするドアカバーが固定されることができる。
【００１２】
また、上記ドア部が上記移動プレートの摺動によって連動して摺動するように、一端が上記ドア部の一側に結合され、他端が上記ガイド部の一側に結合され、両端を連結する長手方向に弾力的に長さが可変されることができ、上記移動プレートの摺動によって、上記ドア部に摺動方向に引っ張り力を伝送するドアスプリングを含むことができる。
【００１３】
また、上記ドア部が上記移動プレートの摺動によって連動して摺動するように、上記カバープレートの両側部には、上記ガイド部が上記カバープレートの前面方向に上記ガイド部の移動方向に沿って露出されるようにする開口部が形成され、上記ドア部の両側端には左右方向に延長される羽片が形成され、上記羽片は、端部が上記開口部の位置しながら、上記開口部に沿って移動する上記ガイド部に係止されて、上記ガイド部とともに移動し、上記羽片が上記ガイド部に係止されて移動する方向の反対方向に上記ドア部を繰り上げるように、一端が上記ドア部に結合され、他端が上記カバープレートに結合される引張スプリングが含まれることができる。
【００１４】
また、上記ガイド部に係止される上記羽片の端部には、プラスチック素材からなるダンパを形成することができる。
【００１５】
また、上記ドア部が、摺動がガイドされながら、上記カバープレートから離脱されないように、上記ドア部にはスロットが形成され、上記スロットを貫通するピン部材が上記カバープレートに固定され、上記ピン部材の端部には上記スロットの幅より大きい幅を有するワッシャーを固定することができる。
【００１６】
一方、上記移動プレートは、プレートフレームと上記プレートフレームの一側で一体に形成されるガイドプレートとで構成され、上記ガイドプレートの両側部で上記プレートフレームとの間に、上下方向でありながら互いに平行なガイド溝が設けられ、上記ガイドプレートの下側に上記ＰＣＢホールが形成され、上記固定プレートの両側端には、上記ガイド溝に位置しながら上記ガイドプレートの両側端が摺動可能に結合されるガイド部が形成され、上記ドア部は上記ガイドプレートの前面に摺動可能に結合することもできる。
【００１７】
また、上記ガイドプレートの前面には上記ドア部が上記カバープレートから離脱されないようにするドアカバーを固定することができる。
【００１８】
また、上記ドア部が上記移動プレートの摺動によって連動して摺動するように、一端が上記ドア部の一側に結合され、他端が上記ガイド部の一側に結合され、両端を連結する長手方向に弾力的に長さが可変されることができ、上記移動プレートの摺動によって上記ドア部に摺動方向に引っ張り力を伝送するドアスプリングを含むことができる。
【発明の効果】
【００１９】
本発明によれば、移動プレートで摺動可能に結合されるドア部が含まれ、該ドア部が移動プレートの摺動に連動して摺動することによって、携帯電話の外部に露出されることができるＰＣＢホール部分を携帯電話のスライド作動によって自動に閉鎖するという利点がある。
【００２０】
これに伴って、携帯電話の見掛けの向上に役に立ち、ＰＣＢホールを貫通するＦＰＣＢの損傷を防ぐことができるとともに、ＰＣＢホールを通じて上体の内部に異物が流入することを防ぐことができる。
【００２１】
一方、本発明に含まれる移動プレートが固定プレートと摺動可能に結合（組み立て）されるために、プレートフレーム及びガイドプレートを別途に製作して、これをカバープレートによって互いに固定する構造にすることもできる、また他の実施形態において、移動プレートが一体に射出成形されるプレートフレーム及びガイドプレートで構成される場合には、別途のカバープレートを必要とした場合に比べて、部品数の減少、製造工程の単純化、製造時間の短縮及び製造コストの低減などの有利な利点を有する。
【図面の簡単な説明】
【００２２】
【図１】図１は本発明の第１実施形態による携帯電話のスライドモジュールの斜視図。
【図２】図２は図１に示したスライドモジュールの分解斜視図。
【図３】図３は図１に示したスライドモジュールの作動図。
【図４】図４は本発明の第２実施形態による携帯電話のスライドモジュールの斜視図。
【図５】図５は図４に示したスライドモジュールの分解斜視図。
【図６】図６は図４に示したスライドモジュールの作動図図。
【図７】図７は本発明の第３実施形態による携帯電話のスライドモジュールの斜視図。
【図８】図８は図７に示したスライドモジュールの作動図。
【発明を実施するための最良の形態】
【００２３】
本発明の好ましい実施形態について添付された図面を参照して詳しく説明する。なお、同一符号は同じ機能をする同一部材を示す。
【００２４】
図１ないし図３では、本発明の第１実施形態に係る携帯電話のスライドモジュール１について示している。図示されたように、本実施形態の携帯電話のスライドモジュールは、移動プレート１００と、固定プレート２００と、弾性手段と、ドア部４００とが含まれる。
【００２５】
移動プレート１００は、携帯電話で液晶表示装置が含まれる上体（図示せず）に固定され、具体的に、プレートフレーム１１０と、ガイドプレート１２０と、カバープレート１３０とで構成されることができる。
【００２６】
プレートフレーム１１０は上体に固定されて、後述するガイドプレート１２０とともに上体の背面を形成する。略板形状で、中央部に後述するガイドプレート１２０を配置可能な空間部１１１が設けられる。ただ、空間部１１１の大きさ及びプレートフレーム１１０での位置は、ガイドプレート１２０の大きさ及び配置位置によって決められるもので、ガイドプレート１２０の大きさ及び配置位置は後述する固定プレート２００の大きさ、また固定プレート２００が下体で固定される位置によって決められるので、プレートフレーム１１０から空間部１１１が形成される位置及び空間部１１１の大きさは、図示した位置及び大きさに限定されず、必要な位置及び大きさに形成してもよい。
【００２７】
ガイドプレート１２０は、板形状で、上述した空間部１１１に配置される。また、ガイドプレート１２０がプレートフレーム１１０で配置状態を維持するのは、後述するカバープレート１３０にガイドプレート１２０が固定され、カバープレート１３０の枠がプレートフレーム１１０の空間部１１１の枠に固定されるからである。
【００２８】
本実施形態は、このようにプレートフレーム１１０とガイドプレート１２０が別途に製作されて、カバープレート１３０によって互いに固定して結合される構造からなる。
【００２９】
一方、ガイドプレート１２０の左右両側部には、プレートフレーム１１０との間に、上下方向でありながら互いに平行に形成されるガイド溝１１５がそれぞれ設けられる。ガイド溝１１５は、後述する固定プレート２００のガイド部２１０が位置して移動可能な空間を提供する。
【００３０】
また、移動プレート１００にはＦＰＣＢ（Ｆｌｅｘｉｂｌｅ  Ｐｒｉｎｔｅｄ  Ｃｉｒｃｕｉｔ  Ｂｏａｒｄ）（図示せず）が貫通するＰＣＢホール１０１が形成され、本実施形態では、ガイドプレート１２０の一側に形成される第１ＰＣＢホール１２１と、後述するカバープレート１３０に形成される第２ＰＣＢホール１３１がともにこのＰＣＢホール１０１を形成する。具体的に、ガイドプレート１２０の一側には、第１ＰＣＢホール１２１が形成されるが、この場合、第１ＰＣＢホール１２１の位置は、なるべくガイドプレート１２０の下側に形成されることが好ましく、その理由は次の通りである。携帯電話の開放状態（上体が下体に対して摺動しながら、下体の前面部、具体的にキーパッドが形成された下体の前面部が露出される状態を言う）位置に移動プレート１００が摺動された時、上体の背面方向に移動プレート１００の背面が露出され、この場合、ＰＣＢホール１０１の露出される部分を最小化するためには、このＰＣＢホール１０１が上体及び下体が互いに重なる領域に位置することが好ましい。したがって、ＰＣＢホール１０１はなるべく上体及び下体が重なる領域であるガイドプレート１２０の下側に形成されることが好ましい。もちろん、ＰＣＢホール１０１の全体が上体及び下体の互いに重なる領域内に位置するように形成されるとよいが、上記で説明したように、設計上の必要によって、該領域を逸脱する大きさまたは該領域を逸脱する移動プレート１００の位置でＰＣＢホール１０１が形成される場合には、不可避に外部に露出するＰＣＢホール１０１の露出部（以下「ＰＣＢホール１０１の露出部」という。）が発生する。
【００３１】
カバープレート１３０は、ガイドプレート１２０の前面を覆いながらプレートフレーム１１０に固定され、固定方式の一例として、カバープレート１３０の枠が空間部１１１の枠部に固定されるように射出成形されるなどの方式が使用されることができる。また、カバープレート１３０はガイドプレート１２０とも固定され、固定方式の一例として、リベットなどのような固定部材を用いたり、カバープレート１３０とガイドプレート１２０との間密着面を形成した後、この面でスポット溶接（ｓｐｏｔ  ｗｅｌｄｉｎｇ）をするなど多様な固定方式を使用することができる。このように、ガイドプレート１２０がカバープレート１３０に固定され、またカバープレート１３０がプレートフレーム１１０に固定されることによって、別途に製作されたガイドプレート１２０及びプレートフレーム１１０がカバープレート１３０によって互いに固定される。
【００３２】
一方、カバープレート１３０は、ガイドプレート１２０との間に配置される後述する弾性手段の回転領域と、後述する固定プレート２００のガイド部２１０が移動する領域で、弾性手段及びガイド部２１０と摩擦しないように、ガイドプレート１２０とは若干離間されて、プレートフレーム１１０に固定されることができる。この場合、上述した必要な領域を除いた領域では、ガイドプレート１２０と密着されるように、陷沒部１３２が形成されることもできる。陷沒部１３２が形成される場合、カバープレート１３０は、ガイドプレート１２０と互いに密着されるこの陷沒部１３２の位置で、上述した固定方式によってガイドプレート１２０と簡単且つ堅固に固定することができる。
【００３３】
一方、カバープレート１３０の一側には、ＰＣＢホール１０１に対応する位置及び大きさの第２ＰＣＢホール１３１が形成されている。
【００３４】
このように、プレートフレーム１１０に固定されたカバープレート１３０は、ガイドプレート１２０をプレートフレーム１１０に固定させる作用をするとともに、ガイドプレート１２０との間に配置される後述する弾性手段を覆って保護する作用をする。
【００３５】
固定プレート２００は、図３に示したように、下体（図示せず）の前面を形成するキーパッドプレート１０の上に固定されることができる。この場合、キーパッドプレート１０は下体と一体に形成されることもでき、別途に製作されて下体に固定されることもできるので、固定プレート２００は「下体」に固定されるものと理解しても構わない。一方、図示したキーパッドプレート１０にもＦＰＣＢが貫通するＰＣＢホール１１が形成されている。
【００３６】
固定プレート２００は、図２に示したように、板形状で、左右側端にガイド部２１０がそれぞれ形成される。ガイド部２１０は、縦断面上、略「Ｃ」字状に形成されて、内側に案内溝２１０ａが形成され、この案内溝２１０ａが対向するように固定プレート２００の左右側端でそれぞれ形成されている。
【００３７】
移動プレート１００は、この固定プレート２００と摺動可能に結合される。具体的に、移動プレート１００は、各ガイド部２１０の案内溝２１０ａにガイドプレート１２０の左右側端が摺動可能に結合されることによって、固定プレート２００と結合され、このような結合構造によって、ガイドプレート１２０は固定プレート２００の前面方向に配置される。ガイドプレート１２０の左右側端がガイド部２１０の案内溝２１０ａで摺動しながら移動プレート１００が固定プレート２００に対して摺動し、この時、ガイド部２１０がガイド溝１１５に位置した状態で、ガイド溝１１５に沿って移動することによって、移動プレート１００の摺動が案内される。
【００３８】
一方、ガイド部は、図示されていないが、固定プレート２００の両側端で２回直角に折曲されて、折曲部の内側の形状が上述した案内溝を形成する、固定プレート２００と一体になるガイド部の例を提示することができる。
【００３９】
ただ、ガイドプレート１２０と固定プレート２００とが、剛性を有するように、金属素材で形成する場合には、金属素材の間の摩擦とこの摩擦による騷音を最小化するように、ガイドプレート１２０の背面と固定プレート２００の前面が離間されて互いに摩擦しないようにすることが好ましい。また、ガイドプレート１２０がガイド部２１０の案内溝面に当接して摺動するので、ガイド部２１０とガイドプレート１２０との間で発生される摩擦力が最小化されるようにすることが好ましい。
【００４０】
したがって、ガイド部は、固定プレート２００の両側端で２回直角に折曲されてなり、折曲部の内側に形成される補強部材（図示せず）をさらに含むことができる。また、この補強部材は、プラスチック素材で形成され、一側に上述した案内溝が形成される。このガイド部によると、補強部材がプラスチック素材で形成されることによって案内溝面にガイドプレート１２０が当接して移動するように摩擦力及び騷音を最小化することができる。
【００４１】
または、上記例とは異なるガイド部の例として、図における固定プレート２００の両側端で折曲部を形成してガイド部を形成するのではなく、別途のガイド部材、具体的にプラスチック素材で、一側に案内溝２１０ａが形成された別途のガイド部材２１１を固定プレート２００の両側端に固定することによって、ガイド部２１０を形成する例を提示することもできる。
【００４２】
そして、上述した補強部材やガイド部材２１１で形成される案内溝の位置は固定プレート２００の前面から若干前方に離間して位置されるように形成することによって、ガイドプレート１２０と固定プレート２００との間の離間幅を確保することができ、これによって、ガイドプレート１２０と固定プレート２００とが互いに摩擦しないようにすることができる。
【００４３】
ガイド部がこのように構成されることによって、移動プレート１００の摺動の時、摩擦と該摩擦による騷音が最小化され、携帯電話のスライド作動感が向上されることができる。
【００４４】
ただ、ガイド部２１０は、上述した例に限定されるものではなく、ガイドプレート１２０が摺動可能に結合されることができる多様な形状と構成に形成されることができることは勿論である。
【００４５】
一方、固定プレート２００は、移動プレート１００の摺動によって、ガイドプレート１２０に形成された第１ＰＣＢホール１２１をガイドプレート１２０の背面方向で覆うこともできるが、この場合、移動プレート１００の摺動区間の中どの位置に固定プレート２００が置かれても、第１ＰＣＢホール１２１の全体部分の中固定プレート２００が移動しない、それで覆われない未閉鎖部分があることが好ましい。固定プレート２００がＰＣＢホール１０１の全体部分をすべて移動したり、覆ったりすると、移動プレート１００の摺動過程で固定プレート２００によってＦＰＣＢが損傷されるからである。それでも、移動プレート１００の摺動距離を狭めることはできないので、図２に示しように、固定プレート２００の一側には、未閉鎖部を形成するための切開部２０１が形成されることができる。
【００４６】
弾性手段は移動プレート１００及び固定プレート２００と連結されて、移動プレート１００が固定プレート２００に対して摺動する時、半自動に作動可能になるように弾性力を提供する。具体的に、移動プレート１００の摺動の時、死点（ｄｅａｄ  ｐｏｉｎｔ）までは使用者などによる外力で摺動するが、死点を超える瞬間または死点に到逹せずに外力が除去される場合、その瞬間には移動プレート１００が自動に摺動するように弾性力を提供する。言い換えれば、移動プレート１００の摺動によって弾性力が発生して、移動プレート１００が携帯電話の開放状態または閉鎖状態の位置になるように弾性力を提供するのである。
【００４７】
このような弾性手段は、上述した弾性力を提供可能な多様な材質、形状に形成されることができ、また固定プレート２００及び移動プレート１００と多様な連結構造によって連結されることができる。
【００４８】
弾性手段の一例として本実施形態では、略「Ｗ」形状で、ワイヤからなる弾性スプリング３１０の例が提示される。
【００４９】
また、この弾性スプリング３１０が固定プレート２００及び移動プレート１００に連結される具体的な連結構造の例としては、一端がガイド部２１０で回転自在に結合され、他端がカバープレート１３０の背面の中央部またはガイドプレート１２０の前面の中央部で回転自在に結合される構造の例が提示されることができる。さらに具体的には、図２に示したように、弾性スプリング３１０の両端に結合部３１１がそれぞれ形成され、ガイド部２１０には、その一側で横方向に延長して形成される延長部２１２を含み、弾性スプリング３１０の一端に形成された結合部３１１は延長部２１２とガイドプレート１２０との間の空間に置かれた状態で延長部２１２とリベットなどの固定部材によって互いに回転自在に結合され、弾性スプリング３１０の他端に形成された結合部３１１はカバープレート１３０の背面の中央部でリベットなどの固定部材によって回転自在に結合される例が提示されることができる。弾性スプリング３１０は、このように結合されることによって、カバープレート１３０とガイドプレート１２０との間に配置されて、移動プレート１００及び固定プレート２００と連結された状態になる。
【００５０】
この場合、弾性スプリング３１０は、固定プレート２００が移動プレート１００の最上側に位置した状態または最下側に位置した状態で、空間部１１１のコーナーから空間部１１１の中央部に向かう対角方向に配置されるが、この状態で、弾性スプリング３１０の両端を連結する直線距離は移動プレート１００の摺動によって短くなる。この直線距離が短くなるにしたがって、弾性スプリング３１０には弾性力が発生する。また、この直線距離が最も短くなる瞬間に弾性力が最も大きくなり、この時の移動プレート１００及び固定プレート２００の相対位置が死点になる。移動プレート１００が死点を超える瞬間から弾性スプリング３１０に蓄積された弾性力（復元力）は短くなった直線距離が元の距離に復元される外力として作用することになり、したがって、移動プレート１００は死点を超える瞬間から別途の外力を作用しなくても、自動に摺動することになる。また、移動プレート１００が死点の位置に到逹する前に使用者などによって作用する外力が除去されると、その間蓄積された弾性力によって、元の位置に自動に摺動する。
【００５１】
一方、このような弾性スプリング３１０はカバープレート１３０とガイドプレート１２０との間の空間で、左側及び右側の何れか一側に一つ備えることもでき、または図示したように、左右両側に全て備えることもできる。ただ、移動プレート１００が固定プレート２００に対して左右方向に偏向されないで、安定的に摺動するには、弾性スプリング３１０が両側に全部備えられて、弾性スプリング３１０による弾性力が左側及び右側で均等に作用するようにすることが好ましい。
【００５２】
ドア部４００は、ＰＣＢホール１０１（第１ＰＣＢホール１２１及び第２ＰＣＢホール１３１）の露出部となるＰＣＢホール１０１の一部を開閉可能にカバープレート１３０で摺動可能に結合される。また、ドア部４００は移動プレート１００の摺動によって連動して摺動する。
【００５３】
上述した機能をするドア部４００の具体的な一例として、図２では、板形状で、カバープレート１３０の前面の上側で摺動可能に結合される例が提示されている。
【００５４】
さらに詳しくは、ドア部４００はＰＣＢホール１０１を全く覆わない位置で、第２ＰＣＢホール１３１の上側となるカバープレート１３０の前面に摺動可能に結合されて、ＰＣＢホール１０１の露出部を覆う方向に摺動する。ドア部４００の結合構造として、ＰＣＢホール１０１の上側となるカバープレート１３０の前面部に幅がＰＣＢホール１０１と大体一致したり、それより大きい陷沒部１３２を形成するが、この陷沒部１３２の両側部の内側面によって、ドア部４００の両側面がガイドされながら摺動するように、陷沒部１３２にドア部４００が収容されて結合する構造の例を提示することができる。
【００５５】
この場合、カバープレート１３０の前面には、ドア部４００がカバープレート１３０から離脱しないようにするドア部４００の一部または全体を覆うドアカバー４５０が固定されることができる。この場合、ドア部４００はドアカバー４５０によって前面または前面の中両側端部がドアカバー４５０によって支持されながら、前方の離脱が防止されることができる。（図１及び図２では、ドア部４００の前面が支持されるように形成されたドアカバー４５０の例が提示されている。）この場合、携帯電話のスライドモジュールの厚さが最小化されるように、ドアカバー４５０  及びドア部４００の合わせた厚さは陷沒部１３２の高さ以内に形成されることが好ましい。ドア部４００はドアカバー４５０の内部で、また陷沒部１３２に収容された状態で、ＰＣＢホール１０１の露出部が開閉されるように引出されたり、挿入される摺動が可能であるが、ドアカバー４５０によってカバープレート１３０から離脱されなくなる。
【００５６】
一方、ドア部４００が摺動する時、ＰＣＢホール１０１の露出部まで安定的にガイドされながら、カバープレート１３０からの離脱が防止されるように、ドアカバー４５０の両側端の下側にはＰＣＢホール１０１の露出部まで延長される延長支持片４５１を形成することができる。
【００５７】
また、ドアカバー４５０の両側面には、陷沒部１３２の両側部の内側面とドア部４００の両側面の間に介在されるように折曲片（図示せず）を折曲させて形成することもできる。
【００５８】
一方、ドア部４００が移動プレート１００の摺動によって連動して摺動するようにする具体的な方法乃至手段として次のような例を提示することができる。
【００５９】
本実施形態では、ドア部４００が移動プレート１００の摺動によって連動するようにする手段として、ドアスプリングが提示される。ドアスプリングは、ドア部４００及びガイド部２１０に連結されるが、図１及び図２に示した例では、ドアスプリングの具体的な一例として、ジグザグ形状で、ワイヤからなるドアスプリング４７０の例が提示されている。ドアスプリング４７０は、その一端がドア部４００に、そして他端がガイド部２１０に回転が自在になるように結合される。さらに詳しくは、ドア部４００の一側に結合突起４０１が形成されて、ドアスプリング４７０の一端が回転自在に結合されることができ、ガイド部２１０の一側またはガイド部２１０に含まれることができる延長部２１２の一側に結合部材２１３によって、ドアスプリング４７０の他端が回転自在に結合されることができる。（図示したように、結合部材２１３が延長部２１２に形成された例が提示される。）この場合、ドアカバー４５０には、ドア部４００がドアカバー４５０から引出または挿入される過程で、より安定的に摺動することができるように、上述した結合突起４０１が案内されることができる突起案内溝４５３が形成されてもよい。
【００６０】
ドアスプリング４７０は、移動プレート１００の摺動によって、ドア部４００が摺動するように引っ張り力を伝送する。そして、移動プレート１００の摺動過程において、ドアスプリング４７０の両端を連結する直線距離が狭くなるので、これに対応してドアスプリング４７０は長手方向に弾力的に長さが可変されなければならず、ドア部４００の摺動のために要求される引っ張り力を減少しない範囲で長さが可変される弾力を有するだけである。このような弾力は、上述したドアスプリング４７０の形状及び材質の特性によって備えることができる。
【００６１】
ドアスプリング４７０は、図示したように、カバープレート１３０の前面の一側に一つ配置したり、または図示されていないが、両側に二つ配置するなど必要によってその数が選択されることができる。
【００６２】
図３は本実施形態の作動図を示したもので、具体的に、図３ａは携帯電話の閉鎖状態を示す斜視図で、図３ｂは携帯電話の開放状態を示す斜視図で、図３ｃは携帯電話の開放状態を示す底面斜視図である。
【００６３】
図３ａに示したように、移動プレート１００が携帯電話の閉鎖状態の位置に摺動した時、ドア部４００はドアスプリング４７０の繰り上げによってＰＣＢホール１０１が完全に開放される方向に摺動する。また、図３ｂ及び図３ｃに示したように、移動プレート１００が携帯電話の開放状態の位置に摺動した時、ドア部４００はドアスプリング４７０の反対方向の繰り上げによって、ＰＣＢホール１０１の露出部を閉鎖する方向に摺動する。特に、図３ｃでは、ＰＣＢホール１０１の露出部がドア部４００によって閉鎖された状態であることを示している。
【００６４】
図４ないし図６では、本発明の第２実施形態に係る携帯電話のスライドモジュール１’が図示されている。
【００６５】
本実施形態は、上述した第１実施形態と特に異なることなく、ガイドプレート１２０とプレートフレーム１１０が一体に射出成形される点で相異している。したがって、下記ではこのような差異点、またこの差異点に伴う具体的な差異点について説明し、図面で表示された符号の中で下記で説明が省略されたものは上述した第１実施形態の説明で代替する。
【００６６】
本実施形態の移動プレート１００は一体に射出成形されるプレートフレーム１１０とガイドプレート１２０とからなる。プレートフレーム１１０とガイドプレート１２０が一体になっているため、第１実施形態のように、ガイドプレート１２０をプレートフレーム１１０に固定させるためのカバープレート１３０が必要なくなる。そのため、第１実施形態に比べて部品数の減少、製造工程の単純化、製造コストの低減などより有利な利点がある。
【００６７】
本実施形態の移動プレート１００は、第１実施形態と同様に、ガイドプレート１２０の両側部でガイド溝１１５が形成されるが、プレートフレーム１１０とガイドプレート１２０が一体に射出成形される点で、ガイド溝１１５の形成部を除いた一側でプレートフレーム１１０とガイドプレート１２０が一体になる。そして、ガイド部２１０にガイドプレート１２０の両側端が結合されながら、固定プレート２００及び移動プレート１００が互いに組み立てられることができるように、左右ガイド溝１１５の上側または下側の中で一側は開口される。図４及び図５に示した例では、ガイドプレート１２０の上側部でガイドプレート１２０とプレートフレーム１１０とが互いに一体に形成され、したがって、ガイド溝１１５の下側が開口される例が提示されている。したがって、図示したように、ガイドプレート１２０の下側の方向でガイド部２１０がガイド溝１１５に挿入されるように、また、ガイド部２１０の案内溝にガイドプレート１２０の両側端が嵌合されるように固定プレート２００を結合することができる。
【００６８】
一方、本実施形態のドア部４００は、第１実施形態と異なって、ガイドプレート１２０の前面で摺動可能に結合される。この場合、ドア部４００がガイドされることができるように、ガイドプレート１２０の前面にはドア部４００が収容される、また、ドア部４００の両側面を支持しながら摺動をガイド可能な収容溝１２２を形成することができる。この収容溝１２２はＰＣＢホール１０１の上側となるガイドプレート１２０の部分に形成される。また、第１実施形態と同様に、ドア部４００がガイドプレート１２０から離脱されないようにするドアカバー４５０がガイドプレート１２０に固定されることができ、図示した例では、ドア部４００の前面の両側端部を前方に対して支持するドアカバー４５０の例が提示されている。
【００６９】
本実施形態は第１実施形態と同様に、ドアスプリング４７０が備わっており、ドア部４００に形成された結合突起４０１と延長部２１２に形成された結合部材２１３に両端が回転自在に結合される。
【００７０】
一方、本実施形態では、上記で説明したように、ガイド部２１０がガイド溝１１５に挿入されるように、ガイド溝１１５の下側が開口されている。この場合、移動プレート１００の曲がり変形が発生しやすいので、これを補うために、移動プレート１００は補強バー１４０をさらに含むことができる。具体的に、プレートフレーム１１０の左側及び右側の各下側とガイドプレート１２０の下側に嵌込突起がそれぞれ形成され、補強バー１４０にこの嵌込突起に対応する嵌込溝が形成されて、互いに嵌合され、補強バー１４０が嵌合されることによって開口されたガイド溝１１５の下側が閉鎖され、同時にプレートフレーム１１０及びガイドプレート１２０の各下側部分が補強バー１４０によって互いに一体化されて連結されることによって、移動プレート１００の曲がり変形の発生を最小化することができる。
【００７１】
この場合、補強バー１４０の結合部が移動プレート１００の全体の枠線上で突出されないように、補強バー１４０が結合されるプレートの下側及びガイドプレート１２０が下側には補強バー１４０の上下幅に対応する切開溝１０２を形成し、この切開溝１０２の形成面に上述した嵌込突起が形成されることが好ましい。
【００７２】
図６は本実施形態の作動図を示したもので、具体的に、図６ａは携帯電話の閉鎖状態を示す斜視図で、図６ｂは携帯電話の開放状態を示す斜視図で、図６ｃは携帯電話の開放状態を示す底面斜視図である。
【００７３】
本実施形態の作動状態、具体的に、移動プレート１００の摺動状態とドア部４００の摺動状態は示した通りであり、図３を参照する第１実施形態での説明で代替することができる。
【００７４】
図７及び図８では、本発明の第３実施形態に係る携帯電話のスライドモジュール１”が図示されている。
【００７５】
本実施形態は上述した第１実施形態と特に異なることなく、ただドア部４００が移動プレート１００の摺動によって連動して摺動するようにする構造において第１実施形態と相異する。したがって、下記ではこのような差異点、また、この差異点に伴う具体的な差異点について説明し、図面で示された符号の中で下記で説明が省略されたものは上述した第１実施形態の説明で代替する。
【００７６】
本実施形態のドア部４００はカバープレート１３０で摺動するように結合される点で第１実施形態と同じである。具体的に、ドア部４００は第２ＰＣＢホール１３１の上側となるカバープレート１３０の前面位置に摺動可能に結合され、摺動によってＰＣＢホール１０１の露出部を開閉する。この場合、ドア部４００の両側端には左右方向に延長されて端部がガイド部２１０（または延長部２１２）の移動経路上に位置する羽片４１０を形成することができる。
【００７７】
ドア部４００のより具体的な説明に先立って、まず、本実施形態のカバープレート１３０は左側及び右側にガイド部２１０（または延長部２１２）がカバープレート１３０の前面方向に露出されるようにする開口部１３４がガイド部２１０（または延長部２１２）の移動経路（方向）に沿って形成される。
【００７８】
本実施形態のカバープレート１３０にはこのように開口部１３４が形成され、羽片４１０はドア部４００から延長されてその端部が開口部１３４の上に位置する。また、羽片４１０の端部が、移動プレート１００が携帯電話の開放状態の位置に摺動する時、開口部１３４の長手方向に近付くガイド部２１０（または延長部２１２）によって係止されて、移動プレート１００は継続して摺動するが、ドア部４００は移動しないで固定プレート２００とともに停止することになる。これにより、ドア部４００がカバープレート１３０に対して相対的に摺動することになり、この過程で、ドア部４００がＰＣＢホール１０１の露出部を閉鎖する。この場合、ドア部４００がガイドされながら移動しなければならないが、このために第１実施形態で説明された陷沒部１３２が利用されることができる。即ち、カバープレート１３０に陷沒部１３２を形成するが、この陷沒部１３２にドア部４００を収容することができ、陷沒部１３２の両側部の内側面によってドア部４００の両側面が支持されてガイドされるようにすることができる。これとともに、または陷沒部１３２を形成しなかった他のカバープレート１３０の例の場合、ドア部４００の左側及び右側に上下方向のスロット４０２を形成し、ピン部材５１０がこのスロット４０２を通じてカバープレート１３０と固定されるようにした後、ピン部材５１０の前側端部にスロット４０２の幅より大きい幅を有するワッシャー５２０を結合させることによって、ピンがスロット４０２に沿ってガイドされることになり、その結果、ドア部４００の摺動が案内されるようにすることもできる。この場合、ピン部材５１０とワッシャー５２０はドア部４００のガイド手段となり、同時に、ドア部４００がカバープレート１３０から離脱しないようにする手段ともなる。
【００７９】
一方、羽片４１０の端部がガイド部２１０（または延長部２１２）に係止されることができるようにするには、羽片４１０の端部とガイド部２１０（または延長部２１２）が互い会わなければならないが、これのためには、多様な手段や方式が利用されることができる。例えば、羽片４１０の端部をガイド部２１０（または延長部２１２）の高さに合わせるように、下方に若干折曲して形成することもでき、またはガイド部２１０（または延長部２１２）が当接されることができるように、別途のダンパを羽片４１０の端部に形成することもできる。または、延長部２１２自体が羽片４１０の端部の高さに合わせるように、折曲して形成されることもできる。さらに好ましくは、上述したように、陷沒部１３２を形成して、この陷沒部１３２にドア部４００が収容されるようにすることによって、ドア部４００がカバープレート１３０の上で突出されないようにするとともに、羽片４１０の端部がガイドプレート１２０にさらに近づけて位置させることによって、ガイド部２１０（または延長部２１２）に係止させることができる。また、羽片４１０の端部にプラスチック素材の上述したダンパ４１１を形成することによって、ガイド部２１０（または延長部２１２）と羽片４１０の端部が互いに当接する瞬間に発生される騷音及び衝撃をより緩和させることができる。
【００８０】
一方、ドア部４００が上述した過程によってＰＣＢホール１０１の露出部を閉鎖する方向に摺動した後、移動プレート１００が再び携帯電話の閉鎖状態の位置に摺動した場合、ドア部４００が再び反対方向、即ち、ＰＣＢホール１０１を完全に開放する方向に復帰移動しなければならないが、このための手段として、本実施形態では引張スプリング４８０が備えられる。
【００８１】
具体的に、引張スプリング４８０はドア部４００の上側に一端が固定され、カバープレート１３０の上側に他端が固定されることができる。ドア部４００の上側と、カバープレート１３０の上側には引張スプリング４８０が固定されることができるように固定突起４０３、１３３をそれぞれ形成することができる。
【００８２】
したがって、移動プレート１００が携帯電話の閉鎖状態の位置に摺動するようになると、羽片４１０の端部に印加されていたガイド部２１０（または延長部２１２）による加圧力が解除されながらドア部４００に作用している引張スプリング４８０の引っ張り力によってドア部４００が再び反対方向に摺動する。
【００８３】
この場合、ドア部４００がＰＣＢホール１０１を完全に開放した状態で、これ以上の上向き移動を制限する必要があるが、ドア部４００が陷沒部１３２に収容される例では、この陷沒部１３２の一側によってドア部４００の上側、あるいは羽片４１０の上側が支持されるようにすることによって、ドア部４００の上向き移動を制限することができる。ドア部４００を収容のための陷沒部１３２が形成されていないカバープレート１３０の例では、図示されていないが、カバープレート１３０の上に別途の突出部（図示せず）を形成するなどの方式で上述した必要を満たすことができる。図７では、羽片４１０の上側部分が陷沒部１３２によって支持される例を提示している。
【００８４】
一方、携帯電話の開放状態位置に移動プレート１００を移動する時、引張スプリング４８０の弾性力にも関わらず、弾性スプリング３１０の復元力によってガイド部２１０（または延長部２１２）がドア部４００を押して移動させなければならないので、引張スプリング４８０の弾性係数はこれを考慮して決めることができる。
【００８５】
また、引張スプリング４８０は、図示したように、二つ備えてもよいが、これに限定されず、一つ以上の適切な数を備えてもよい。
【００８６】
図８は、本実施形態の作動図を示したもので、具体的に、図８ａは、携帯電話の閉鎖状態を示す斜視図で、図８ｂは、携帯電話の開放状態を示す斜視図で、図８ｃは携帯電話の開放状態を示す底面斜視図である。
【００８７】
図８ａに示したように、携帯電話の閉鎖状態では、ドア部４００が引張スプリング４８０によって引張される状態でＰＣＢホール１０１が完全に開放される位置に止まり、この場合、羽片４１０の上側部が陷沒部１３２の一側に係止されて上向き移動が制限されている。
【００８８】
この状態で携帯電話の開放状態の位置に移動プレート１００が摺動されると、最初の間は移動プレート１００とドア部４００が一体に移動するが、羽片４１０の端部のダンパ４１１が延長部２１２に係止される瞬間からは移動プレート１００は継続して移動して、ドア部４００は移動が止められる。ドア部４００がカバープレート１３０に対して相対的に摺動し、その結果、図８ｂに示したように、ドア部４００によってＰＣＢホール１０１の露出部が閉鎖される。
【００８９】
図８ｃでは、ＰＣＢホール１０１の露出部がドア部４００によって閉鎖されている状態を示している。
【００９０】
本発明は、特許請求の範囲で請求する請求の要旨を逸脱しなくても、当該技術分野で通常の知識を有する者によって種々に変更して実施されることができる。例えば携帯電話のスライドモジュールで説明しているが、これに限定されず、多様な他の携帯端末機に本発明のスライドモジュールを適用してもよい。したがって、本発明の技術保護範囲は、上述した特定の好ましい実施形態に限定されない。
【符号の説明】
【００９１】
１、１’、１”    携帯電話のスライドモジュール
１０    キーパッドプレート
１１    ＰＣＢホール
１００    移動プレート
１０１    ＰＣＢホール
１０２    切開溝
１１０    プレートフレーム
１１１    空間部
１１５    ガイド溝
１２０    ガイドプレート
１２１    第１ＰＣＢホール
１２２    収容溝
１３０    カバープレート
１３１    第２ＰＣＢホール
１３２    陷沒部
１３３    固定突起
１４０    補強バー
２００    固定プレート
２０１    切開部
２１０    ガイド部
２１０ａ    案内溝
２１１    ガイド部材
２１２    延長部
２１３    結合部材
３１０    弾性スプリング
３１１    結合部
４００    ドア部
４０１    結合突起
４０２    スロット
４０３    固定突起
４１０    羽片
４１１    ダンパ
４５０    ドアカバー
４５１    延長支持片
４５３    突起案内溝
４７０    ドアスプリング
４８０    引張スプリング
５１０    ピン部材
５２０    ワッシャー
【図１】
2010279015.tif 000003
【図２】
2010279015.tif 000004
【図３】
2010279015.tif 000005
【図４】
2010279015.tif 000006
【図５】
2010279015.tif 000007
【図６】
2010279015.tif 000008
【図７】
2010279015.tif 000009
【図８】
2010279015.tif 000010